(57)【要約】【課題】趣味嗜好の合う人同士の情報通信を行うためのシステムを容易に構築することが可能であり、かつ、情報の入力操作を簡略化する。【解決手段】一方の機器と他方の機器との間でネットワークを介して情報通信を行う装置であって、キーワードおよび前記他方の機器の通信先を示す通信先情報を関連付けて予め登録するＨＤＤ１４と、所望するコンテンツ情報を取得する放送インターフェース５，シリアルインターフェース６と、取得したコンテンツ情報の中から予め登録されているキーワードを抽出するデマルチプレクサ１３と、抽出されたキーワードと登録された通信先情報に基づいて当該抽出されたキーワードに合致する当該キーワードを登録した通信先に当該キーワードに関する情報を通信文書データとして送信するネットワークインターフェース７とを備えた。【選択図】      図１
2004362127.tif 000002
【特許請求の範囲】
【請求項１】
一方の機器と他方の機器とが互いに認証済みであって、前記一方の機器と前記他方の機器との間でネットワークを介して情報通信を行う情報通信装置において、
キーワードおよび前記他方の機器の通信先を示す通信先情報を関連付けて予め登録する登録手段と、
所望するコンテンツ情報を取得する取得手段と、
取得したコンテンツ情報の中から予め登録されているキーワードを抽出する抽出手段と、
前記抽出されたキーワードと前記登録された通信先情報に基づいて当該抽出されたキーワードに合致する当該キーワードを登録した通信先に当該キーワードに関する情報を通信文書データとして送信する送信手段と、
を備えたことを特徴とする情報通信装置。
【請求項２】
請求項１に記載の情報通信装置において、
前記登録手段には、趣味嗜好を表す文字列である前記キーワードが登録されていることを特徴とする情報通信装置。
【請求項３】
請求項１または２に記載の情報通信装置において、
前記取得手段が取得する前記コンテンツ情報には当該コンテンツ情報の案内を示すコンテンツ案内情報が少なくとも含まれている場合に、
前記抽出手段が、前記コンテンツ案内情報に基づいて前記コンテンツ情報のキーワードを抽出することを特徴とする情報通信装置。
【請求項４】
請求項１に記載の情報通信装置において、
前記通信文書データが、複数の機器とネットワークが形成されたグループウエアとして用いられる電子メールによって送信される場合に、
前記登録手段には、前記電子メールの送信先を示すメールアドレスが前記通信先情報として登録されていることを特徴とする情報通信装置。
【請求項５】
請求項１乃至４の何れか一項に記載の情報通信装置において、
前記通信先情報に基づいて、前記通信文書データを送信する際に、
前記通信文書データにおける通信文書の予め定められた文字列を示すテンプレート情報を予め記憶しておく記憶手段と、
前記テンプレート情報に基づいて前記通信文書データを生成する生成手段と、を備え、
前記送信手段が、前記生成された通信文書データを送信することを特徴とする情報通信装置。
【請求項６】
請求項１乃至５のいずれか一項に記載の情報通信装置において、
前記複数の他方の機器と通信文書データの情報通信を行う場合に、
前記送信手段によって送信された通信文書データに基づいて前記他方の機器より返信された通信文書データを受信する受信手段と、
前記他方の機器より返信された通信文書データの受信回数を検出する検出手段と、
を備え、
前記送信手段が、前記受信回数と前記抽出されたキーワードとに基づいて、前記送信先を決定し、前記キーワードに関する情報を通信文書データとして送信することを特徴とする情報通信装置。
【請求項７】
請求項６に記載の情報通信装置において、
前記検出手段による検出結果に応じて受信回数を更新して前記複数の他方の機器毎に前記受信回数を記憶する受信回数記憶手段と、
前記記憶されている受信回数に基づいて送信先の表示形態を変更する表示制御手段と、
を備えたことを特徴とする情報通信装置。
【請求項８】
一方の機器と他方の機器とが互いに認証済みであって、前記一方の機器と前記他方の機器との間でネットワークを介して情報通信を行う情報通信方法において、
キーワードおよび前記他方の機器の通信先を示す通信先情報を関連付けて予め登録する登録工程と、
所望するコンテンツ情報を取得する取得工程と、
取得したコンテンツ情報の中から予め登録されているキーワードを抽出する抽出工程と、
前記抽出されたキーワードと前記登録された通信先情報に基づいて当該抽出されたキーワードに合致する当該キーワードを登録した通信先に当該キーワードに関する情報を通信文書データとして送信する送信工程と、
を備えたことを特徴とする情報通信方法。
【請求項９】
コンピュータによって、一方の機器と他方の機器とが互いに認証済みであって、前記一方の機器と前記他方の機器との間でネットワークを介して情報通信を行う情報通信用プログラムであって、
前記コンピュータを、
キーワードおよび前記他方の機器の通信先を示す通信先情報を関連付けて予め登録する登録手段、
所望するコンテンツ情報を取得する取得手段、
取得したコンテンツ情報の中から予め登録されているキーワードを抽出する抽出手段、
前記抽出されたキーワードと前記登録された通信先情報に基づいて当該抽出されたキーワードに合致する当該キーワードを登録した通信先に当該キーワードに関する情報を通信文書データとして送信する送信手段、
として機能させることを特徴とする情報通信用プログラム。
【請求項１０】
請求項９に記載の情報通信用プログラムが前記コンピュータで読取可能に記録されていることを特徴とする情報記録媒体。
【発明の詳細な説明】
【０００１】
【発明の属する技術分野】
本発明は、機器間が互いに認証済みの状態であって、一方の機器から他方の機器にネットワークを介して情報通信を行う情報通信装置および情報通信方法並びに当該処理のための情報通信用プログラムおよび情報通信用プログラムが記録された情報記録媒体に関する。
【０００２】
【従来の技術】
従来、情報通信を行うシステムとしては、パーソナルコンピュータ（ＰＣ）をベースとして個人的に管理したメールアドレスなどを用いて電子メールの送受信を行っている。特に、最近では、当該電子メールを通じて、互いの趣味・趣向の情報などの個人情報を交換するようになっている。
【０００３】
また、このような情報通信を行うシステムとしては、例えば特許文献１に開示された発明がある。かかる発明は、インターネット等の通信網を介して接続されたサーバが、通信網に対するインターフェースと、情報処理を行うためのコンピュータと、そのコンピュータの周辺装置とを備えて構成されている。そして、上記サーバは、複数の通信端末装置のユーザを会員として登録するともに、その登録された会員に対して情報の提供および会員間での情報交換を可能としている。
【特許文献１】
特開２００１−３３１４４３
【０００４】
【発明が解決しようとする課題】
しかしながら、上述した従来の技術による情報通信システムは、例えばＰＣベースで行われていることから、情報を入力する装置としてはキーボード、マウスが一般的あり、これらの情報入力装置によって細かい入力設定を行う技術を家電機器の制御に適用することは困難であると考えられる。そして、リモートコントロール（以下、リモコンと略称する。）で上記情報入力装置の代替を行うには、一段と困難であると考えられる。
【０００５】
また、特許文献１に開示された発明では、情報通信のために特定情報および個人情報を記憶したデータベースを備えたサーバが用いられ、このサーバにより情報発信先の管理を行っているため、通信端末装置の認証、所定の情報の登録、および、通信端末装置同士の情報通信など、情報通信システムを容易に構築することができず、かつ、ユーザが容易に情報通信を行うができない。
【０００６】
本発明は、上記事情を考慮してなされたもので、その目的の一例としては、趣味嗜好の合う人同士の情報通信を行うためのシステムを容易に構築することが可能であり、かつ、情報の入力操作を簡略化することのできる情報通信装置、情報通信方法、情報通信用プログラムおよび情報記録媒体を提供することを目的とする。
【０００７】
【課題を解決するための手段】
上記課題を解決するため、請求項１に記載の情報通信装置の発明は、一方の機器と他方の機器とが互いに認証済みであって、前記一方の機器と前記他方の機器との間でネットワークを介して情報通信を行う情報通信装置において、キーワードおよび前記他方の機器の通信先を示す通信先情報を関連付けて予め登録する登録手段と、所望するコンテンツ情報を取得する取得手段と、取得したコンテンツ情報の中から予め登録されているキーワードを抽出する抽出手段と、前記抽出されたキーワードと前記登録された通信先情報に基づいて当該抽出されたキーワードに合致する当該キーワードを登録した通信先に当該キーワードに関する情報を通信文書データとして送信する送信手段と、を備えたことを特徴とする。
【０００８】
また、請求項８に記載の情報通信方法の発明は、一方の機器と他方の機器とが互いに認証済みであって、前記一方の機器と前記他方の機器との間でネットワークを介して情報通信を行う情報通信方法において、キーワードおよび前記他方の機器の通信先を示す通信先情報を関連付けて予め登録する登録工程と、所望するコンテンツ情報を取得する取得工程と、取得したコンテンツ情報の中から予め登録されているキーワードを抽出する抽出工程と、前記抽出されたキーワードと前記登録された通信先情報に基づいて当該抽出されたキーワードに合致する当該キーワードを登録した通信先に当該キーワードに関する情報を通信文書データとして送信する送信工程とを備えたことを特徴とする。
【０００９】
さらに、請求項９に記載の情報通信用プログラムの発明は、コンピュータによって、一方の機器と他方の機器とが互いに認証済みであって、前記一方の機器と前記他方の機器との間でネットワークを介して情報通信を行う情報通信用プログラムであって、前記コンピュータを、キーワードおよび前記他方の機器の通信先を示す通信先情報を関連付けて予め登録する登録手段、所望するコンテンツ情報を取得する取得手段、取得したコンテンツ情報の中から予め登録されているキーワードを抽出する抽出手段、前記抽出されたキーワードと前記登録された通信先情報に基づいて当該抽出されたキーワードに合致する当該キーワードを登録した通信先に当該キーワードに関する情報を通信文書データとして送信する送信手段、として機能させることを特徴とする。
【００１０】
そして、請求項１０に記載の情報記録媒体は、請求項８に記載の情報通信用プログラムが前記コンピュータで読取可能に記録されていることを特徴とする。
【００１１】
【発明の実施の形態】
以下、本願の実施形態について、図面を参照しながら説明する。
【００１２】
なお、以下に説明する実施形態は、例えばＢＳ（Ｂｒｏａｄｃａｓｔ  Ｓａｔｅｌｌｉｔｅ）デジタル放送に代表されるようなデジタル放送にて配信されるＡＶ（Ａｕｄｉｏ  Ｖｉｓｕａｌ）情報が取得可能とされているＡＶ機器に対して本願の情報通信装置を適用した場合の実施形態である。
【００１３】
また、以下の説明において、上記ＡＶ情報は、動画像の圧縮技術に関する規格として周知のＭＰＥＧ（Ｍｏｔｉｏｎ  Ｐｉｃｔｕｒｅ  Ｅｘｐｅｒｔ  Ｇｒｏｕｐ）２規格におけるトランスポートストリーム（Ｔｒａｎｓｐｏｒｔ  Ｓｔｒｅａｍ）規格に則って放送されてくるものとする。
【００１４】
さらに、以下の説明において、電子メールとは、インターネットの電子メールサービスによって送受信される郵便と同様に文書を指定した宛先に送信することができるメールであり、ＡＲＰＡネットでのメールフォーマットの標準仕様として公開されているＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）規格（ＲＦＣ１５２１、ＲＦＣ１５２２またはＲＦＣ２０４５〜ＲＦＣ２０４９）に準ずるメールフォーマットを有するメールとする。
【００１５】
（１）全体構成および動作
次に、複数のユーザ間で情報の交換を行うための情報通信装置の全体構成および動作について説明する。
【００１６】
まず、図１を用いて当該情報通信装置の全体構成および概要動作について説明する。なお、図１は、本実施形態における情報通信装置の全体構成を示すブロック図であり、この図１では、ＣＰＵ８は情報通信装置１内の全ての構成要素をコントロールするものの、簡単のため本実施形態に関係するコントロール部分のみを図示している。
【００１７】
図１に示すように、本実施形態の情報通信装置１は、デジタル放送を受信するアンテナ２を有するとともに、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４規格に準拠した情報を入出力するための入出力ポート３と、他の機器に対して通信ネットワークＩＮを介して情報を入出力するための入出力ポート４とを備えている。
【００１８】
また、情報通信装置１は、アンテナ２に接続され、デジタル放送におけるコンテンツ情報を取得する放送インターフェース５と、入出力ポート３に接続され、１３９４規格に準拠した情報からコンテンツ情報を取得するシリアルインターフェース６と、入出力ポート４に接続されるネットワークインターフェース７と、装置全体をコントロールするＣＰＵ８と、バス９と、このバス９に接続されるＲＯＭ１０と、バス９に接続されるＲＡＭ１１と、を備えて構成されている。
【００１９】
さらに、情報通信装置１は、ＣＰＵ８からの制御信号に基づいて放送インターフェース５から信号を得るか、シリアルインターフェース６から信号を得るかを切り換えるスイッチ１２と、このスイッチ１２が接続されるデマルチプレクサ１３と、ハードディスク（以下、ＨＤＤという。）１４と、デマルチプレクサ１３に接続される音声デコーダ１５と、この音声デコーダ１５が接続される音声出力端子１６と、デマルチプレクサ１３に接続される映像デコーダ１７と、この映像デコーダ１７に接続されるグラフィックスドライバ１８と、このグラフィックドライバ１８に接続されるモニタ出力端子１９と、ＯＳＤ（Ｏｎ  Ｓｃｒｅｅｎ  Ｄｉｓｐｌａｙ）２０と、リモコン受光部２１とを備えて構成され、表示画面２２ａを有するテレビジョン（ＴＶ）受像機２２と電気的に接続されている。
【００２０】
なお、例えば、本実施形態の放送インターフェース５は、本発明に係る取得手段を構成し、シリアルインターフェース６は、本発明に係る取得手段を構成する。また、例えば、本実施形態のネットワークインターフェース７は、本発明に係る送信手段および受信手段を構成し、デマルチプレクサ１３は、本発明に係る抽出手段を構成する。さらに、例えば、本実施形態のＨＤＤ１４は、本発明に係る登録手段および記憶手段を構成し、本実施形態のＲＡＭ１１は本発明に係る受信回数記憶手段を構成する。そして、例えば、本実施形態のＣＰＵ８は、本発明に係る生成手段および検出手段を構成し、本実施形態のＯＳＤ２０は、本発明に係る表示制御手段を構成する。
【００２１】
次に、概要動作について説明する。
【００２２】
スイッチ１２はＣＰＵ８からの制御信号に従ってデマルチプレクサ１３に出力する信号を放送インターフェース５から得るように選択すると、その放送インターフェース５は、アンテナ２から入力した信号に対してチューニングし、ＭＰＥＧ−ＴＳ信号としてデマルチプレクサ１３に出力する。
【００２３】
一方、スイッチ１２はＣＰＵ８からの制御信号に従ってデマルチプレクサ１３に出力する信号をシリアルインターフェース６から得るように選択すると、そのシリアルインターフェース６は、ＩＥＥＥ１３９４規格に準拠した入出力ポート３からの信号を入力信号としてデマルチプレクサ１３に出力するとともに、ＩＥＥＥ１３９４規格のコマンドをＣＰＵ８に伝送し、このＣＰＵ８からのＩＥＥＥ１３９４規格経由のコマンドや当該コマンドに対する応答を出力する。
【００２４】
デマルチプレクサ１３は、スイッチ１２により選択された放送インターフェース５またはシリアルインターフェース６からの出力信号であるＭＰＥＧ−ＴＳ信号をオーディオ信号とビデオ信号に分離する。その結果、デマルチプレクサ１３は、音声デコーダ１５にオーディオ信号を出力し、映像デコーダ１７にビデオ信号を出力すると同時に、コンテンツ情報であるＭＰＥＧ−ＴＳ信号中のＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ：番組配列情報）を抽出し、必要なＳＩ情報をＣＰＵ８に伝送する。
【００２５】
すなわち、デマルチプレクサ１３は、入力されたＭＰＥＧ−ＴＳ信号の中で後段において必要なデータのみを抽出する。より具体的には、デマルチプレクサ１３は、ＭＰＥＧ−ＴＳの形式で送信されてくるデジタル放送ストリーム中から復号化すべき映像信号を搬送しているパケットＩＤを指定することによって、そのビデオ信号のパケットデータを後段に通す機能を備えている。同様に、オーディオ信号やその他の付加的なデータ、その他のＣＰＵ８で用いるデータを搬送しているＰＩＤ（Ｐａｃｋｅｔ  Ｉｄｅｎｔｉｆｉｅｒ：パケット識別子）が設定されると、それを抽出する機能をも備えている。
【００２６】
なお、この上記ＰＳＩデータは、多重化された多様なプログラムストリームを、受像機が自動的に多重解除し復号化するための情報を提供する。また、番組配列情報ＳＩは、デジタル放送の番組の各種データを示す。
【００２７】
また、デマルチプレクサ１３により分離されたオーディオ信号およびビデオ信号は、音声デコーダ１５および映像デコーダ１７によりそれぞれ復号化され、音声出力端子１６からの音声信号はＴＶ受像機２２内の図示しないスピーカに出力される一方、グラフィックスドライバ１８に映像信号を出力する。このグラフィックスドライバ１８は、映像デコーダ１７とＯＳＤ２０から得られたデータを混合することにより、モニタ出力端子１９へ出力する画面イメージを作成してＴＶ受像機２２内の表示画面２２ａに出力する。ここで、ＯＳＤ２０は、ＣＰＵ８からの指示に従って映像デコーダ１７により復号化される映像に重畳される信号を作成し、グラフィックスドライバ１８に出力する。
【００２８】
さらに、ＲＯＭ１０は情報通信装置１の全体のプログラムを格納し、このプログラムの作業エリアがＲＡＭ１１になる。また、このＲＡＭ１１には、後述するように、電子メールを送信する際に、必要となる相手先のメールアドレス等が記録される。
【００２９】
ＨＤＤ１４は、データベースなど、情報通信装置１の電源のオン、オフに拘らず記録しておくべきデータなどが記録されており、データの書込み、読込み指示、その際のデータの格納位置情報がＣＰＵ８から与えられる。特に、このＨＤＤ１４には、後述するように、登録ユーザ名、そのメールアドレスおよびキーワードのデータを有する操作者ファイル、並びに、登録者ファイルが記録されている。
【００３０】
このＣＰＵ８は、シリアルインターフェース６、ネットワークインターフェース７およびデマルチプレクサ１３と接続され、これらシリアルインターフェース６、ネットワークインターフェース７およびデマルチプレクサ１３からの指示信号を受信することができる。なお、ＣＰＵ８は、バス９を介して各部からデータを取得するとともに、各部にデータを出力するようになっている。
【００３１】
リモコン受光部２１は、ユーザからの動作指示入力手段であるリモコンから出射された赤外線などの信号光を受光して操作信号が入力され、ＣＰＵ８に対してその操作信号による動作コマンドを伝送する。
【００３２】
このような情報通信装置１において、ＲＡＭ１１上の記憶領域について図２および図３に基づいて説明する。なお、図２は、本実施形態のＲＡＭの記憶領域を模式的に示す説明図であり、図３は、本実施形態におけるＲＡＭの記憶領域の詳細を示す説明図である。
【００３３】
図２に示すように、ＲＡＭ１１上の記憶領域は、基本プログラム使用領域Ｒ１と、応用プログラム使用領域Ｒ２と、コンテンツ表現文字情報領域Ｒ３と、ユーザ名列領域Ｒ４と、メールアドレス列領域Ｒ５と、ユーザ情報交換頻度列領域Ｒ６とからなる。
【００３４】
この基本プログラム領域Ｒ１および応用プログラム使用領域Ｒ２は、当該情報通信装置１の各動作を行う際に必要となる各プログラムおよびそのプログラムに必要となるデータを一時的に格納する領域である。また、ユーザ名列領域Ｒ４と、メールアドレス列領域Ｒ５と、ユーザ情報交換頻度列領域Ｒ６には、図３に示すように電子メールを送信する際に必要となる各種データが記録され、具体的には、後述するように、キーワードが合致した登録者ファイルのユーザ名、メールアドレスおよびユーザ情報交換頻度が、それぞれ、記録される。
【００３５】
例えば、ユーザ名列領域Ｒ４には、図３に示すように、電子メールを送信する際に、当該電子メールを送信する候補となり得るユーザ名が記録されており、メールアドレス列領域Ｒ５には、ユーザ名列領域Ｒ４に記録されている電子メールのメールアドレスが記録されている。また、ユーザ情報交換頻度列領域Ｒ６には、ユーザ名列領域Ｒ４に記録されているユーザの今までの情報交換頻度が記録されている。なお、この情報交換頻度とは、電子メールを送信することにより提供した情報に対して返信された回数を示し、後述するように、電子メールを送信する登録ユーザを設定するとき用いられる。
【００３６】
コンテンツ表現文字情報領域Ｒ３には、例えば、デマルチプレクサ１３によって抽出されたデジタル放送のＭＰＥＧ−ＴＳ信号中のＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：社団法人「電波産業会」の略称）規格におけるＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ：番組配列情報）のうち、番組配列情報ＳＩにあるイベント情報が記録される。
【００３７】
具体的には、コンテンツ表現文字情報領域Ｒ３には、後述するように、番組配列情報ＳＩのイベント情報テーブル（ＥＩＴ）に含まれる番組名（題名）を表すｅｖｅｎｔ＿ｎａｍｅ＿ｃｈａｒ（８ビット）と、番組の説明を要約して記述するｔｅｘｔ＿ｃｈａｒ（８ビット）と、の文字情報が記録されている。
【００３８】
次に、情報通信装置１内のＨＤＤ１４について図４に基づいて説明する。なお、図４は、このＨＤＤ１４に記憶する情報の一例を模式的に示す図である。
【００３９】
情報通信装置１内のＨＤＤ１４は、基本プログラムおよび応用プログラムが用いる情報で、電源のオン、オフに拘らず記憶し、かつ書換えを要する情報を記憶するために用いられる。
【００４０】
また、以下の説明では、図４に示すように、図１に示す情報通信装置１を操作するユーザを操作ユーザとし、この操作ユーザと情報交換することのできる他のユーザを登録ユーザと呼ぶ。なお、一つの情報通信装置１に対して複数の操作ユーザを設定することができる。また、本実施形態では、例えば操作ユーザが操作する情報通信装置を本願の一方の機器に、登録ユーザが操作する情報通信装置を本願の他方の機器にそれぞれ対応し、各装置間は予め互いに通信可能に認証済みの状態である。
【００４１】
ＨＤＤ１４内のデータベースには、電子メールを送信するユーザ名が氏名の実名またはこの実名に代えて用いられるあだ名などの変名を示す登録ユーザ名と、当該登録ユーザ名のメールアドレスなどの個人の送信先情報と、電子メールを送信することにより提供した情報に対して返信された回数を登録ユーザ毎に示す情報交換頻度と、趣味嗜好を表し登録ユーザとの間で共有する情報に対するキーワードと、が互いに関連付けられて保存されている。
【００４２】
例えば、ＨＤＤ１４内のデータベースには、図４に示すように操作者ファイルＦ１、登録者ファイルＦ２，Ｆ３，Ｆ４が格納され、操作者ファイルＦ１には、操作ユーザ名：ＤＤＤと、キーワード：ケーキ、大福、動物、自然、山岳、アイドル、テレビと、が保存されている。登録者ファイルＦ２には、登録ユーザ名：ＡＡＡと、メールアドレス：ＡＡＡ＠ｘｘｘ．ｃｏｍと、情報交換頻度：７と、キーワード：ケーキ、大福、動物とが保存されている。登録者ファイルＦ３には、登録ユーザ名：ＢＢＢと、メールアドレス：ＢＢＢ＠ｙｙｙ．ｃｏｍと、情報交換頻度：１５と、キーワード：動物、自然、山岳とが保存されている。さらに、登録者ファイルＦ３には、登録ユーザ名：ＣＣＣと、メールアドレス：ＣＣＣ＠ｚｚｚ．ｃｏｍと、情報交換頻度：３と、キーワード：アイドル、テレビとが保存されている。
【００４３】
なお、各操作者ファイルＦ１および登録者ファイルＦ２、Ｆ３に保存されているキーワードは、操作者または各登録ユーザの趣味嗜好を表しているものである。また、操作者ファイルＦ１には、操作ユーザと操作ユーザが登録ユーザと共有しているキーワードを、好ましくは、キーワードの重複なしで最適化して保存しており、リモコンなどにより予め登録されるようになっている。また、キーワードを指定し、登録されているキーワードを検索することによって、そのキーワードを登録しているユーザを特定することができるようなアクセスを行うことが可能である。
【００４４】
（２）コンテンツ情報の取得動作
次に、本実施形態においてＢＳデジタル放送の受信時の動作について説明する。つまり、コンテンツ情報を取得するための動作を説明する。
【００４５】
まず、ユーザ操作によって図示しないリモコンからＢＳデジタル放送の例えばサービスＩＤ（Ｓ番）の受信指示が得られと、ＣＰＵ８は放送インターフェース５に対してコンテンツ情報である上記サービスＩＤ（Ｓ番）を含むＭＰＥＧ−ＴＳ信号を受信するための周波数を受信するように指示をする。
【００４６】
次いで、ＣＰＵ８は、デマルチプレクサ１３がサービスＩＤ（Ｓ番）のＭＰＥＧ−ＴＳ信号を分離するように制御信号を出力する。デマルチプレクサ１３は、ＭＰＥＧ−ＴＳ信号を分離するため、ＰＡＴ（Ｐｒｏｇｒａｍ  Ａｓｓｏｃｉａｔｉｏｎ  Ｔａｂｌｅ）・ＰＭＴ（Ｐｒｏｇｒａｍ  Ｍａｐ  Ｔａｂｌｅ）を解析し、サービスＩＤ（Ｓ番）のデコードに必要な音声信号のパケットＩＤと映像信号のパケットＩＤを取得し、分離した後の音声信号、映像信号のデータを音声デコーダ１５、映像デコーダ１７にそれぞれ出力する。
【００４７】
ここで、上記ＰＡＴおよびＰＭＴは、ＰＳＩ（Ｐｒｏｇｒａｍ  Ｓｐｅｃｉｆｉｃ  Ｉｎｆｏｒｍａｔｉｏｎ）データを構成し、ＰＡＴは多重の中の各サービスに対応するプログラムマップテーブルのある場所、すなわち、トランスポートストリームパケットのパケット識別子を表し、ＰＭＴは各サービスを構成するストリームの場所と、そのサービスのプログラムクロックリファレンス（ＰＣＲ）フィールドの場所を特定して表している。
【００４８】
次いで、ＣＰＵ８は、音声デコーダ１５および映像デコーダ１７に復号開始指示信号を与える。音声デコーダ１５に復号開始指示信号を与えることで、音声デコーダ１５からは、復号化された音声データが音声出力端子１６を通して出力される。その一方、映像デコーダ１７からは、復号化された映像信号が未だＣＰＵ８から指示を与えられていないグラフィックドライバ１８を通してモニタ出力端子１９から出力される。このようにしてデジタル放送にて配信されるＡＶ（Ａｕｄｉｏ  Ｖｉｓｕａｌ）情報をコンテンツ情報として取得することが可能となる。
【００４９】
（３）コンテンツ情報からキーワードを取得する動作
次に、図５（ａ）に示すようにＢＳデジタル放送にて配信されるＭＰＥＧ−ＴＳ信号中の映像情報（Ｖ），音声情報（Ａ）を含み、かつ、ＡＲＩＢ規格におけるＰＳＩ／ＳＩのうち、コンテンツ案内情報としての番組配列情報ＳＩを図５（ｂ）に基づいて説明する。上記ＰＳＩデータは、多重化された多様なプログラムストリームを、受像機が自動的に多重解除し復号化するための情報を提供する。
【００５０】
図５（ｂ）に示すように番組配列情報ＳＩは、ネットワーク情報テーブル（ＮＩＴ）と、イベント情報テーブル（ＥＩＴ）と、サービス記述テーブル（ＳＤＴ）およびその他のテーブルから構成され、イベント情報テーブル（ＥＩＴ）は、イベント名、開始時刻、継続時間など、イベントやプログラムに関するデータを含み、これらの各情報を用いることにより、異なる種類のイベント情報の伝達を可能とする。ここでいうイベントとは、デジタル放送の番組のことである。
【００５１】
また、イベント情報テーブル（ＥＩＴ）は、テーブルのスタッフィングのためのダミー情報などに利用されるスタック情報と、ＳＩシステムに記載されているある特定のものに関連した追加情報を視聴者が要求した場合に提供されるサービスを識別するリンク情報と、イベント名およびイベントの短い記述をテキスト形式で表す短形式イベント情報と、短形式イベント情報に付け加えて使用され、イベントの詳細記述を提供する拡張形式イベント情報と、コンポーネントの種別を示し、エレメンタリーストリームを文字形式で表現するためにも利用されるコンポーネント情報と、イベントのジャンルを示すコンテント情報と、その他の情報とを備えている。
【００５２】
また、短形式イベント情報は、番組名（題名）を表すｅｖｅｎｔ＿ｎａｍｅ＿ｃｈａｒと、番組の説明を要約して記述するｔｅｘｔ＿ｃｈａｒと、その他とから構成されている。ｅｖｅｎｔ＿ｎａｍｅ＿ｃｈａｒおよびｔｅｘｔ＿ｃｈａｒは、それぞれ、８ビットで構成される。
【００５３】
したがって、例えば、本実施形態では、短形式イベント情報からｅｖｅｎｔ＿ｎａｍｅ＿ｃｈａｒおよびｔｅｘｔ＿ｃｈａｒを抽出することにより、趣味嗜好を表し登録ユーザとの間で共有する情報に対するキーワードを取得することができる。すなわち、ｅｖｅｎｔ＿ｎａｍｅ＿ｃｈａｒおよびｔｅｘｔ＿ｃｈａｒは、文字列Ｃが表示され、後述するように、これらの文字列Ｃからキーワードを取得することができる。
【００５４】
なお、ｅｖｅｎｔ＿ｎａｍｅ＿ｃｈａｒおよびｔｅｘｔ＿ｃｈａｒは、通常、イベントの選択または当該イベントの視聴中に、ＴＶ受信機などの画面に表示されるようになっており、例えば、ＴＶ受像機２２の表示画面２２ａには、映像Ｖとともに、図６に示すように「題名：大いなる自然」、「要約：大自然の中で繰り広げられる動物たちの過酷な生活」なる文字列Ｃが表示されるようになっている。
【００５５】
（４）キーワード検索
次に、この放送受信時に、キーワード検索をするための文字列の記憶動作について説明する。
【００５６】
上記動作中に、ＣＰＵ８は、デマルチプレクサ１３に対して番組配列情報ＳＩのうち、イベント情報テーブルＥＩＴ中に含まれるイベント情報セクション（ｅｖｅｎｔ＿ｉｎｆｏｒｍａｔｉｏｎ＿ｓｅｃｔｉｏｎ）を受信した際、ＲＡＭ１１の所定の位置にそのデータ、すなわち、上述した短形式イベント情報（ｓｈｏｒｔ＿ｅｖｅｎｔ＿ｄｅｓｃｒｉｐｔｏｒ）中における番組名（ｅｖｅｎｔ＿ｎａｍｅ＿ｃｈａｒ）や番組記述（ｔｅｘｔ＿ｃｈａｒ）を記憶するように指示をする。この動作後、デマルチプレクサ１３で指定した各種のイベントデータを受信することにより、ＲＡＭ１１内における応用プログラム使用領域Ｒ２内に上記イベントデータを記憶する。
【００５７】
また、ＣＰＵ８は、所定の信号を受信することによって、このデータを応用プログラム使用領域Ｒ２から読み出し、短形式イベント情報（ｓｈｏｒｔ＿ｅｖｅｎｔ＿ｄｅｓｃｒｉｐｔｏｒ）中における番組名（ｅｖｅｎｔ＿ｎａｍｅ＿ｃｈａｒ）や番組記述（ｔｅｘｔ＿ｃｈａｒ）をＲＡＭ１１内におけるコンテンツ表現文字情報領域Ｒ３に記憶する。
【００５８】
次に、この放送受信中のイベントが終了した時点で、キーワード検索をする動作について説明する。
【００５９】
放送受信中にイベントが終了したことは、ＰＳＩ／ＳＩ情報から認識することができることが公知である。イベントが終了したことにより、ＲＡＭ１１内のコンテンツ表現文字情報領域Ｒ３に格納されていた文字列と、ＨＤＤ１４内の操作者ファイルＦ１中の予め格納されているキーワード群とを比較する。この結果、一致した文字列（キーワード）が見つかった場合には、各関連付けられたデータを取得・管理を行うリレーショナルデータベースの技術を用いて、そのキーワードを登録してあるファイルを登録者ファイルＦ２，Ｆ３，Ｆ４から検索する。その結果、そのキーワードを登録してある登録者ファイルＦ２，Ｆ３，Ｆ４の中から登録ユーザ名，メールアドレス，情報交換頻度の各情報を、上述したように、ＲＡＭ１１内のユーザ名列領域Ｒ４，メールアドレス列領域Ｒ５，情報交換頻度列領域Ｒ６にそれぞれ記憶する。なお、本動作において該当する場合には、図３に示すように、複数の登録ユーザ名，メールアドレス，情報交換頻度が、それぞれ、ユーザ名列領域Ｒ４，メールアドレス列領域Ｒ５，情報交換頻度列領域Ｒ６に記録される。
【００６０】
（５）電子メール送信時の表示動作
次に、記憶した登録ユーザ名とメールアドレスと選択／非選択を表示する動作について図７および図８に基づいて説明する。なお、図７は、本実施形態において操作ユーザに対する提示画面を示す図であり、図８は、本実施形態の登録ユーザ名の表示例を示す説明図である。
【００６１】
上記までの動作において、ＲＡＭ１１内のユーザ名列領域Ｒ４，メールアドレス列領域Ｒ５，ユーザ情報交換頻度列領域Ｒ６には、上述のように、図３に示すようなデータが記憶されることとなる。このとき、ＯＳＤ２０を用いて表示画面上にユーザ名を表示するため、まずユーザ情報交換頻度列領域Ｒ６から最大の値を格納している情報交換頻度の情報を得る。そのインデックスで参照されるユーザ名をユーザ名列領域Ｒ４から取得する。このユーザ名およびユーザに対してその後の動作を行うか否かを示す選択ボックスをＯＳＤ２０にてグラフィックスデータとして構成し、グラフィックスドライバ１８を通じて図７に示すように画面表示する。
【００６２】
続けて、先ほど得られた値を除外して最大の値を格納している情報交換頻度を取得し、同様に、他のユーザ名をユーザ名列領域Ｒ４から取得する。このように動作することによって、ユーザ情報交換頻度列領域Ｒ６に格納されている値によってユーザ名の表示順を操作することができる。
【００６３】
なお、ユーザ情報交換頻度列領域Ｒ６に格納されている値が絶対的に大きい場合には、図８（ａ）に示すようにそのユーザに対する選択ボックスにディフォルトで選択を示す表現を用いたり、最初に得られた最大値に対して１／２以下であるユーザに対する選択ボックスにディフォルトで選択しないことを示す表現を用いたりすることができる。
【００６４】
コンテンツ表現文字情報領域Ｒ３に複数のキーワードが見つかった場合には、各登録者ファイルＦ２，Ｆ３，Ｆ４の共有キーワードと共有している数によって、図８（ｂ）に示すようにこの表示順を変更することができる。なお、情報を送信してもさほど返信がない場合には、図８（ｃ）に示すように送信リストを表示するときに非選択として表示する。
【００６５】
このときにユーザは、リモコンによる操作で、選択ボックスを操作することによって選択したり、非選択したりすることができる。
【００６６】
このように本実施形態では、情報交換頻度情報を検出し、その検出結果に応じて最大の値を格納している情報交換頻度を更新して他のユーザ名毎に情報交換頻度を記憶し、その情報交換頻度に基づいて例えば図８（ｂ）に示すようにＯＳＤ２０に表示する表示形態を変更するようにしている。
【００６７】
（６）情報送受信方法および情報交換頻度の設定
次に、選択ボックスで選択されたユーザに対して情報を送受信する方法を図９〜図１１に基づいて説明する。
【００６８】
なお、図９は、本実施形態において電子メールのテンプレートの一例を示す説明図であり、図１０は、本実施形態において電子メールの送信文面の一例を示す説明図である。また、図１１は、本実施形態において電子メールの返信文面の一例を示す説明図である。
【００６９】
まず、メールの送信時の動作について説明する。
【００７０】
上記の動作で選択されたユーザ名を得るとともに、今回の動作で用いられたキーワードおよびコンテンツ表現文字情報領域Ｒ３のコンテンツ表現文字情報を用いて、メールの文面を構成する。このメールのテンプレートは、予めＨＤＤ１４内に保存されている。メールのテンプレートには、図９に示す表示画面２２ａのようにブランクが設けられ、これらのブランクには、電子メールが送信されるときに、あて先ｂ１と、キーワードｂ２と、題名ｂ３と、要約ｂ４とが割り当てられる。
【００７１】
例えば、図１０に示すように、キーワードが「動物」でｅｖｅｎｔ＿ｎａｍｅのデータが「動物の生活」、ｔｅｘｔ＿ｃｈａｒのデータが「大自然で過酷な生活」である場合であって、選択されたユーザ名のメールアドレスがＡＡＡ＠ｘｘｘ．ｃｏｍの場合には、ＣＰＵ８は、上記あて先ｂ１に選択されたユーザ名に相当するメールアドレスＡＡＡ＠ｘｘｘ．ｃｏｍを入力し、キーワードｂ２に合致したキーワード「動物」を入力し、題名ｂ３には、コンテンツ表現文字情報領域Ｒ３に格納してあるｅｖｅｎｔ＿ｎａｍｅの「動物の生活」を入力し、要約ｂ４には、コンテンツ表現文字情報領域Ｒ３に格納してあるｔｅｘｔ＿ｃｈａｒの「大自然で過酷な生活」を入力し、メールの文面を完成させる。このメールの文面を公知であるメール送信のステップに従ってＣＰＵ８がネットワークインターフェース７を介してメールを通信文書データとして送信する。
【００７２】
次に、メールの受信時の動作について説明する。
【００７３】
メールの到着は、図１に示すネットワークインターフェース７がネットワークＩＮから信号を得るとともに、ＣＰＵ８で信号からメール到着を認識する処理を経て認識される。このメールの文面において、ＣＰＵ８は、図１１に示すように送信したキーワードに対する返信である旨を、電子メールの文字列中から検索する。ここでは、返信されたメールの題名にキーワードによって送信された旨のキーワード文字列Ｓｕｂ１が先頭に表示され、その次に返信文字列Ｓｕｂ２の「ＲＥ：」が表示されるので、ＣＰＵ８は、当該受信した電子メールが返信である旨を認識することができる。
【００７４】
このように返信が得られたことを認識した後に、ＣＰＵ８は、メール上のＦｒｏｍ項目のメールアドレスと合致するメールアドレスを持つＨＤＤ１４のデータベース上にある登録者ファイルＦ２，Ｆ３，Ｆ４から検索し、その合致したファイルの情報交換頻度の数を１つ増やす。このように情報交換頻度の数を１つ増やすことで、次回情報交換をする際のユーザ名表示順に用いる情報交換頻度の値が変更される。
【００７５】
（７）送信動作を示すフローチャート
次に、本実施形態の送信動作を図１２に示すフローチャートに基づいて説明する。なお、図１２は、本実施形態の送電子メースの信動作を示すフローチャートである。
【００７６】
図１２に示すように、ＣＰＵ８は、コンテンツ表現文字情報獲得フラグをリセットした後（ステップＳ１）、ＢＳデジタル放送のイベント（番組）視聴を開始する（ステップＳ２）。そして、ＣＰＵ８は、イベント視聴が終了したか否かをＰＳＩ／ＳＩ情報により判定し（ステップＳ３）、終了していない場合（ステップＳ３；ＮＯ）には、ステップＳ４に進み、終了している場合（ステップＳ３；ＹＥＳ）には、ＣＰＵ８は、このＳＩ情報が得られたか否かを判定する（ステップＳ４）。
【００７７】
次いで、ＣＰＵ８が、ＳＩ情報が得られたと判断した場合（ステップＳ４；ＹＥＳ）には、ＣＰＵ８は、ＳＩ情報からコンテンツ表現文字情報を作成し、コンテンツ表現文字情報獲得フラグをセットしてステップＳ３に戻る（ステップＳ５）。一方、ＣＰＵ８が、ＳＩ情報が得られないと判断した場合（ステップＳ４；ＮＯ）には、本処理は、ステップＳ３に直接戻る。
【００７８】
また、ＣＰＵ８が、イベント視聴が終了していないと判断した場合（ステップＳ３；ＹＥＳ）には、ＣＰＵ８はコンテンツ表現文字情報獲得フラグがセットされているか判定し（ステップＳ６）、当該フラグがセットされていないと判断した場合（ステップＳ６；ＮＯ）には、本処理の送信動作を終了する。一方、ＣＰＵ８が、コンテンツ表現文字情報獲得フラグがセットされていると判断した場合（ステップＳ６；ＹＥＳ）には、ＲＡＭ１１のコンテンツ表現文字情報領域Ｒ３に記録されたコンテンツ表現文字情報の中から、キーワードを検索し、合致したキーワードを応用プログラム使用領域Ｒ２内における一時的キーワード列領域に格納する（ステップＳ７）。
【００７９】
次いで、ＣＰＵ８は上記一時的キーワード列領域に含まれるキーワードを登録している登録ユーザを検索し、ユーザ名列、メールアドレス列および送信選択列を作成する（ステップＳ８）。そして、ＣＰＵ８は一時的キーワード列、ユーザ名列にて初期画面として選択・非選択を予め示した画面を構築する（ステップＳ９）。
【００８０】
さらに、ＣＰＵ８は、送信を指示するコマンドを受信したか否かを判定し（ステップＳ１０）、当該コマンドを受信したと判断した場合（ステップＳ１０；ＹＥＳ）には、図１０に示すようなメール文書を通信文書データとして構築した後、当該通信文書データを送信して本処理を終了する（ステップＳ１２，Ｓ１３）。
【００８１】
一方、ＣＰＵ８が送信を指示するコマンドを受信しないと判断した場合（ステップＳ１０；ＮＯ）には、ＣＰＵ８が送信選択を変更するコマンドを受信したか否かを判定し（ステップＳ１４）、ＣＰＵ８が送信選択を変更するコマンドを受信したと判断した場合（ステップＳ１４；ＹＥＳ）には、送信選択列を送信選択変更コマンドに従って変更した後、本処理はステップＳ１０に戻る。一方、ＣＰＵ８が送信選択を変更するコマンドを受信しないと判断した場合（ステップＳ１４；ＮＯ）には、ステップＳ１０の処理に直接戻る。これら一連の処理によって送信動作が終了する。
【００８２】
（８）複数の端末に対する適用例
図１３は本実施形態を複数の端末に対して適用した例を示している。なお、図１３は、本実施形態において複数の端末とネットワークを示す説明図である。
【００８３】
図１３に示ように、各使用者（ユーザ）は、それぞれ上記実施形態と同様の構成の情報通信装置１ａ，１ｂ，１ｃを有し、これらの装置１ａ，１ｂ，１ｃは互いに認証済みであってネットワークＩＮを介して情報通信を行う。
【００８４】
すなわち、情報通信装置１ａのＨＤＤ内には、使用者：ＡＡＡ１、キーワード：大自然，お菓子が保存され、あて先リストとして名前：ＢＢＢ１さんのアドレス：ＢＢＢ＠ｂｂｂ、キーワード：大自然と、名前：ＣＣＣ１さんのアドレス：ＣＣＣ＠ｃｃｃ、キーワード：お菓子とが保存されている。
【００８５】
また、情報通信装置１ｂのＨＤＤ内には、使用者：ＢＢＢ１、キーワード：サッカー，大自然が保存され、あて先リストとして名前：ＡＡＡ１さんのアドレス：ＡＡＡ＠ａａａ、キーワード：大自然と、名前：ＤＤＤ１さんのアドレス：ＤＤＤ＠ｄｄｄ、キーワード：サッカーが保存されている。
【００８６】
情報通信装置１ｃのＨＤＤ内には、使用者：ＣＣＣ１、キーワード：育児，大自然が保存され、あて先リストとして名前：ＥＥＥ１さんのアドレス：ＥＥＥ＠ｅｅｅ、キーワード：育児と、名前：ＡＡＡ１さんのアドレス：ＡＡＡ＠ａａａ、キーワード：お菓子とが保存されている。
【００８７】
このように使用者：ＡＡＡ１は、ＢＢＢ１さんとキーワードが「大自然」で一致し、ＣＣＣ１さんとキーワードが「お菓子」で一致している。また、使用者：ＢＢＢ１は、ＡＡＡ１さんとキーワードが「大自然」で一致し、ＤＤＤ１さんとキーワードが「サッカー」で一致している。さらに、使用者：ＣＣＣ１は、ＥＥＥ１さんとキーワードが「育児」で一致し、ＡＡＡ１さんとキーワードが「お菓子」で一致している。
【００８８】
したがって、この例では、上記実施形態と同様に各装置１ａ，１ｂ，１ｃに共通のキーワードが登録されており、キーワードを放送などの視聴に伴う情報から抽出し、共有キーワードを有するユーザに対してメールなどの手段を用いて互いに情報を通信するようにしている。
【００８９】
以上説明したように本実施形態によれば、キーワードおよび他方の機器の通信先を示す通信先情報を関連付けて予め登録しておき、所望するコンテンツ情報を取得し、その取得したコンテンツ情報の中から予め登録されているキーワードを抽出し、その抽出されたキーワードと上記登録された通信先情報に基づいて当該抽出されたキーワードに合致する当該キーワードを登録した通信先に当該キーワードに関する情報を通信文書データとして送信するようにしたので、趣味嗜好の合う人同士の情報通信を行うためのシステムを容易に構築することが可能であり、かつ、情報の入力操作を簡略化することができる。
【００９０】
また、本実施形態によれば、メールアドレスを示す通信先情報に基づいて、通信文書データを送信する際に、その通信文書データにおける通信文書の予め定められた文字列を示すテンプレート情報を予め記憶しておくＨＤＤ１４と、そのテンプレート情報に基づいて通信文書データを生成するＣＰＵ８とを備え、ネットワークインターフェース７が、上記生成された通信文書データを送信することにより、情報の入力操作を簡略化することができる。
【００９１】
さらに、本実施形態によれば、複数の他方の機器と通信文書データの情報通信を行う場合に、ネットワークインターフェース７によって送信された通信文書データに基づいて他の機器より返信された通信文書データを受信するネットワークインターフェース７と、他の機器より返信された通信文書データの受信回数を検出するＣＰＵ８とを備え、ネットワークインターフェース７が、受信回数と、抽出されたキーワードに基づいて送信先を決定し、キーワードに関する情報を通信文書データとして送信することにより、送信先の機器からの返信回数に基づいて送信する優先度を変更することができるので、情報の入力操作を一段と簡略化することができる。
【００９２】
そして、本実施形態によれば、他の機器より返信された通信文書データの受信回数を検出するＣＰＵ８による検出結果に応じて受信回数を更新して複数の他方の機器毎に受信回数をＲＡＭ１１に記憶しておき、その記憶されている受信回数に基づいてＯＳＤ２０に表示する送信先の表示形態を変更することにより、送信先の選択が容易になり、情報の入力操作を一段と簡略化することができる。
【００９３】
なお、本願は上記実施形態に限定されることなく、種々の変更が可能である。例えば、上記実施形態では、ＢＳデジタル放送などの電波を受信して映像信号などを取得するようにしたが、これ以外に操作ユーザが、あるＷＷＷ（Ｗｏｒｌｄ  Ｗｉｄｅ  Ｗｅｂ）サイトから所望の映像コンテンツを検索してストリーミング視聴を楽しんだ後、その映像コンテンツの題名および要約からキーワードを抽出し、そのキーワードでの情報共有をしている登録ユーザ名を検索し、その登録ユーザ名を表示して、情報を送信するか否かを操作ユーザに選択させ、送信する場合には送信すべき情報を構築して当該情報を通信文書データとして送信するようにしてもよい。
【００９４】
さらに、ＢＳデジタル放送などの電波を受信して映像信号などを取得するようにしたが、これ以外にアナログ地上波ＴＶ放送の電波や、インターネット、ケーブルテレビ（ＣＡＴＶ）または専用回線を介したサーバＶＯＤ（Ｖｉｄｅｏ  Ｏｎ  Ｄｅｍａｎｄ）から映像信号などのコンテンツ情報と、そのコンテンツ案内情報を取得するようにしてもよく、またＤＶＤ（Ｄｉｇｉｔａｌ  ｖｅｒｓａｔｉｌｅ  ｄｉｓｃ）およびＨＤＤなどの記録媒体に記録されたコンテンツ情報と、そのコンテンツ案内情報を読み出して取得するようにしてもよい。
【００９５】
加えて、上記実施形態では、記録媒体としてＨＤＤ１４を用いた場合について説明したが、これ以外に情報の書き換えが可能なＤＶＤやフラッシュメモリなどの各種記録媒体を使用することができる。
【００９６】
また、上記実施形態では、キーワードに関する情報を送信した後、送信先の機器から返信する例について説明したが、互いに合致するキーワードを登録した連絡先に送信するだけの装置についても適用可能である。
【００９７】
そして、上記実施形態では、リモコンから出射される赤外光をリモコン受光部２１に受光させて動作指示の入力を行うようにしたが、これ以外に例えば音声合成技術によって動作指示を入力するようにしてもよい。
【００９８】
さらに、図１２に示すフローチャートに対応するプログラムを、フレキシブルディスクまたはハードディスクなどの情報記録媒体に記録させておき、或いは当該プログラムをインターネットなどのネットワークを介して取得した後に記録しておき、これらを汎用のマイクロコンピュータなどにより読み出して実行することにより、当該マイクロコンピュータを実施形態に係るＣＰＵ８として機能させることが可能である。
【図面の簡単な説明】
【図１】本実施形態における情報通信装置の全体構成を示すブロック図である。
【図２】本実施形態のＲＡＭの記憶領域を模式的に示す説明図である。
【図３】本実施形態におけるＲＡＭの記憶領域の詳細を示す説明図である。
【図４】本実施形態のＨＤＤに記憶する情報を模式的に示す説明図である。
【図５】（ａ），（ｂ）は本実施形態においてＳＩ情報のデータ構造を示す説明図である。
【図６】本実施形態においてＳＩ情報の表示画面を示す図である。
【図７】本実施形態において操作ユーザに対する提示画面を示す図である。
【図８】（ａ），（ｂ），（ｃ）は本実施形態の登録ユーザ名の表示例を示す説明図である。
【図９】本実施形態において電子メールのテンプレートの一例を示す説明図である。
【図１０】本実施形態において電子メールの送信文面の一例を示す説明図である。
【図１１】本実施形態において電子メールの返信文面の一例を示す説明図である。
【図１２】本実施形態の送信動作を示すフローチャートである。
【図１３】本実施形態において複数の端末とネットワークを示す説明図である。
【符号の説明】
１…情報通信装置
２…アンテナ
３…入出力ポート
４…入出力ポート
５…放送インターフェース
６…シリアルインターフェース
７…ネットワークインターフェース
８…ＣＰＵ
９…バス
１０…ＲＯＭ
１１…ＲＡＭ
１２…スイッチ
１３…デマルチプレクサ
１４…ＨＤＤ
１５…音声デコーダ
１６…音声出力端子
１７…映像デコーダ
１８…グラフィックスドライバ
１９…モニタ出力端子
２０…ＯＳＤ
２１…リモコン受光部
２２…テレビジョン受像機
２２ａ…表示画面
【図１】
2004362127.tif 000003
【図２】
2004362127.tif 000004
【図３】
2004362127.tif 000005
【図４】
2004362127.tif 000006
【図５】
2004362127.tif 000007
【図６】
2004362127.tif 000008
【図７】
2004362127.tif 000009
【図８】
2004362127.tif 000010
【図９】
2004362127.tif 000011
【図１０】
2004362127.tif 000012
【図１１】
2004362127.tif 000013
【図１２】
2004362127.tif 000014
【図１３】
2004362127.tif 000015